(57)【要約】【課題】急激な釣竿操作の際にも破損し難く、釣竿をシャープに操作することができる釣竿を提供すること。【解決手段】魚釣用リール８を取付けるリール脚固定装置２０を装着すると共に内部に収容した元竿１６が前端から延出する中空構造のグリップ部材２４と、このグリップ部材２４と内部に収容した元竿１６との間に軸方向に間隔をおきかつ少なくとも１つがリール脚固定装置２０と軸方向に沿って重なる位置に介挿され、グリップ部材２４と元竿１６との間で力を伝達する複数の力伝達部材３０，３２と、これらの力伝達部材３０，３２の間に配置され、グリップ部材２４の内面を支えてグリップ部材２４の局部的な変形を抑制するスペーサ部材３８とを備える。【選択図】      図２
2008011703.tif 000002
【特許請求の範囲】
【請求項１】
魚釣用リールを取付けるリール脚固定装置を装着すると共に内部に収容した竿杆が前端から延出する中空構造のグリップ部材と、このグリップ部材と内部に収容した竿管との間に軸方向に間隔をおきかつ少なくとも１つが前記リール脚固定装置と軸方向に沿って重なる位置に介挿され、グリップ部材と竿管との間で力を伝達する複数の力伝達部材と、これらの力伝達部材の間に配置され、グリップ部材の内面を支えてグリップ部材の局部的な変形を抑制するスペーサ部材とを備えることを特徴とする釣竿。
【請求項２】
前記グリップ部材の前端と前記竿杆との間に、柔軟性部材が介挿される請求項1に記載の釣竿。
【発明の詳細な説明】
【技術分野】
【０００１】
本発明は、釣竿に関し、特に、魚釣用リールを固定するリール脚固定装置をグリップ部材に装着した釣竿に関する。
【背景技術】
【０００２】
一般に、釣竿のリール脚固定装置には、魚とやり取りする際に、魚釣用リールを介して大きな負荷が作用する。特に小径の竿杆を用いた釣竿の場合には、軽量化と共に操作性を向上させるため、コルクや発泡性樹脂により握り用のグリップ部が設けられる。
【０００３】
例えば、細径かつ軽量の竿杆で形成されるルアーロッドのグリップ部に、その竿杆よりも大径のグリップ筒を配置し、このグリップ筒を芯材である竿杆で保持するため、グリップ筒の前部と後部に環状の支持スペーサを配置することで、ハンドル部の強度を保持しつつ軽量化を図ったものが開発されている（例えば特許文献１参照）。
【０００４】
このルアーロッドのグリップ筒は、竿杆の外側に接着固定されたリールシート本体の後方に取付けられ、支持スペーサには肉抜き空洞部が設けられる。
【特許文献１】特開２００５−１０２５４７
【発明の開示】
【発明が解決しようとする課題】
【０００５】
このようなグリップ筒を備えた釣竿は、ハンドル部の強度の保持と軽量化とを同時に解決しつつ竿杆の破損を防止するものではあるが、例えば、より大きな魚を対象とした実釣時に、釣竿を両手で持って激しく上下させて水中の仕掛けを動かす等の操作を行う際にも竿杆が破損し難く、しかも釣人の操作が釣竿に敏感に伝達することのできる釣竿が臨まれている。
【０００６】
本発明は、このような事情に基づいてなされたもので、急激な釣竿操作の際にも破損し難く、釣竿をシャープに操作することができる釣竿を提供することを目的とする。
【課題を解決するための手段】
【０００７】
上記目的を達成するため、本発明によると、魚釣用リールを取付けるリール脚固定装置を装着すると共に内部に収容した竿杆が前端から延出する中空構造のグリップ部材と、このグリップ部材と内部に収容した竿管との間に軸方向に間隔をおきかつ少なくとも１つが前記リール脚固定装置と軸方向に沿って重なる位置に介挿され、グリップ部材と竿管との間で力を伝達する複数の力伝達部材と、これらの力伝達部材の間に配置され、グリップ部材の内面を支えてグリップ部材の局部的な変形を抑制するスペーサ部材とを備えることを特徴とする釣竿が提供される。
【０００８】
前記グリップ部材の前端と前記竿杆との間に、柔軟性部材が介挿されることが好ましい。
【発明の効果】
【０００９】
本発明の釣竿によると、グリップ部材にリール脚固定装置が装着されていることにより、魚釣用リールを介して作用する負荷を竿杆を介することなく、グリップ部材を介して直接支え、このグリップ部材から複数の力伝達部材を介して竿杆に操作力を効率よく伝達し、更に、グリップ部材に局部的に大きな力が作用しても、スペーサ部材が局部的な変形を抑制することができ、激しい操作を行う場合であっても竿杆の破損を防止しつつ操作性を向上させることができる。
【００１０】
また、グリップ部材の前端と竿杆との間に、柔軟性部材が介挿される場合には、リール脚固定装置の前端が応力集中により破損するのが防止され、竿杆が大きな荷重が作用して変形した場合であっても、この変形が柔軟性部材で吸収され、リール脚固定装置の変形を抑制することができる。
【発明を実施するための最良の形態】
【００１１】
図１および図２は、本発明の好ましい実施形態による釣竿１０を示す。
【００１２】
図１にその全体の概略を示すように、本実施形態の釣竿１０は、振出し式の中通し釣竿として形成してあり、竿尻側に握り部１２と尻栓１４とを設けた元竿１６と、この元竿１６の穂先側に配置した先竿１８を有する。この先竿１８は、基端外周面と元竿１６の先端内周面とが継合部Ｐで継合される振り出し構造であって、元竿１６に収納される。これらの元竿１６および先竿１８は、強化繊維に合成樹脂を含浸させた繊維強化プリプレグ（ＦＲＰ）を芯金に巻回した後、硬化、脱芯等の通常の工程を経て形成される。
【００１３】
この釣竿１０の竿管の継数については上述の２本に限定されることはない。例えば元竿１６と先竿１８との間に図示しない１本または複数本の中竿を配置してもよく、一方、先竿１８を省略した元竿１６のみを有する、いわゆる１本竿であってもよい。
【００１４】
本実施形態の元竿１６は、握り部１２の前部に、例えばスピニングリール等の各種の魚釣用リール８を固定するリール脚固定装置２０が設けられ、この穂先側には、魚釣用リール８から延びる釣糸を側面から元竿１６内に導入する釣糸導入ガイド２２が糸巻き等、公知の固定手段によって取付けられている。この釣糸導入ガイド２２は、元竿１６と先竿１８との継合部Ｐの後側（尻栓１４側）に近接させて設けられており、先竿１８を元竿１６から振出し継合させた際、この先竿１８の基端側に設けた図示しない栓体への糸通し作業を行い易くしてある。
【００１５】
この釣糸導入ガイド２２を通って魚釣用リール８から元竿１６の内部に導入された釣糸は、先竿１８の内部を通り、先竿１８の先端に固定されたトップガイド６から外部に繰出される。
【００１６】
図２に詳細に示すように、握り部１２は、竿杆である元竿１６の竿尻側端部を内部に収容する中空構造のグリップ部材２４の竿尻側すなわち後端側に設けられる。このグリップ部材２４は、繊維強化合成樹脂あるいは合成樹脂により、先側に位置する小径の先部２４ａとこの先部２４ａから後端部に向けて次第に拡径する拡径部２４ｂとこの拡径部２４ｂに連続する元部２４ｃとを有する硬質の中空円筒状構造に形成してあり、この拡径部２４ｂおよび元部２４ｃにわたる外周部に握り部１２が形成される。本実施形態のグリップ部材２４は、先部２４ａから元部２４ｃまでその全長にわたってほぼ均等な肉厚に形成してあるが、このグリップ部材２４の後端に向けて肉厚を厚くすることにより、剛性を増大することができる。
【００１７】
このグリップ部材２４を形成する繊維強化合成樹脂は、例えば炭素繊維等の強化繊維に、エポキシ等の樹脂を含浸したものが好ましい。また、合成樹脂は、例えばポリアミド（ＰＡ）が好ましい。また、グリップ部材２４は、先部２４ａの外径がほぼ１８ｍｍ程度で長さがほぼ２００ｍｍ程度、元部２４ｃの外径がほぼ２４ｍｍ程度で長さがほぼ６０ｍｍ程度に形成し、その先部２４ａから元部２４ｃまでの全長はほぼ３８５ｍｍ程度に形成することが操作性を向上させる上で好ましい。また、肉厚については、ほぼ１ｍｍで、全長にわたって均等にあるいは後端に向けて厚肉化して剛性をあげ、釣竿のシャープな操作を可能にしている。
【００１８】
このような円筒状のグリップ部材２４の先部２４ａの外周部に、リール脚固定装置２０が固定される。本実施形態のリール脚固定装置２０は、魚釣用リール８の取付脚を載置して固定するリール脚載置面２６ａを一側に配置したパイプ状のリールシート本体２６を備えており、先端側に形成した糸巻き２８により、このリールシート本体２６が先端側に位置ずれを生じるのを防止している。このリールシート本体２６の位置ずれ防止用の糸巻き２８に代え、合成樹脂あるいは金属でリング状に形成した部材を設けることも可能である。また、パイプ状のリールシート本体２６に代えて板状のリールシート（図示しない）を設けることも可能である。
【００１９】
このように、グリップ部材２４の小径に形成される先部２４ａにリール脚固定装置２０を設け、拡径部２４ｂおよび大径の元部２４ｃで握り部１２を形成することにより、リール脚固定装置２０を持つ一方の手と、握り部１２を持つ他方の手との両方の手で釣竿１０を持った際に、両方の手はほぼ同径の部分を握ることになり、握りやすく、釣竿１０の操作が容易となる。更に、拡径部２４ｂおよび元部２４ｃが拡径されていることにより、後述するように一体化される元竿１６の剛性の向上も図れる。
【００２０】
このグリップ部材２４の内側には、先部２４ａから拡径部２４ｂを介して元部２４ｃに至るまで、元竿１６の後端部が収容される。このグリップ部材２４の後端は、内周面に形成した雌ネジに螺合される尻栓１４で密閉され、このグリップ部材２４の前端から元竿１６である竿杆が延出する。この元竿１６の後端部は、尻栓１４に隣接した状態すなわちグリップ部材２４のほぼ全長にわたって元竿１６が挿通されており、後述する力伝達部材により、例えば外径がほぼ１０ｍｍ程度の比較的細径の元竿１６であっても、握り部１２を含む元竿１６の後端側の全体の剛性を高めることができる。
【００２１】
本実施形態では、元竿１６が延出する前端側の位置と、尻栓１４に隣接する後端側の位置との軸方向に間隔をおいた位置に、グリップ部材２４と元竿１６との間で力を伝達する本実施形態では２つの力伝達部材３０，３２が介挿されている。これらの力伝達部材３０，３２は、元竿１６とグリップ部材２４との間で力を迅速かつ確実に伝達するために、例えばＡＢＳ樹脂、ポリアミド（ＰＡ）樹脂、ポリカーボネート（ＰＣ）樹脂等の硬質樹脂、あるいはアルミニウム、ステンレス等の金属で形成することが好ましい。これらの力伝達部材３０，３２は、長さがほぼ１０ｍｍ程度で、元竿１６を内部に挿通する内孔を貫通させた円筒状形状に形成し、それぞれの端部の内周側および外周側縁部を面取りしあるいは曲面状に形成することにより、元竿１６およびグリップ部材２４に作用する応力を分散させることが好ましい。
【００２２】
このような円筒状形状の力伝達部材３０，３２は、元竿１６とグリップ部材２４との間で、例えば一方の力伝達部材３０のようにリール脚固定装置２０のリールシート本体２６の内側すなわち軸方向に重なる位置に配置し、他方の力伝達部材３２をこれから軸方向に間隔をおいて配置することにより、グリップ部材２４と元竿１６とのガタツキを防止しつつ、元竿１６に対する握り部１２およびリール脚固定装置２０の一体性を確保して剛性を向上させることができる。これらの力伝達部材３０，３２は、接着剤によりグリップ部材２４および元竿１６に対して固定することが可能だが、軸方向移動を阻止できるものであれば、内径がほぼ一定の先部２４ａおよび元部２４ｃに例えば圧入等により装着することも可能である。
【００２３】
特に、リールシート本体２６の内側に配置される力伝達部材３０は、リールシート本体２６がグリップ部材２４を元竿１６の軸線方向に付勢する荷重を受けて元竿１６に均等に伝達すると共に、リールシート本体２６の変形を抑制することにより、接着剤の剥がれを防止する。これにより、リールシート本体２６を介して大きな力を繰返し作用しても、長期間にわたって品質を維持することができる。
【００２４】
また、グリップ部材２４の前端側に配置される力伝達部材３０は、先端部がグリップ部材２４の前端から後方に引き込まれた位置に配置されており、このグリップ部材２４の前端部と元竿１６との間に形成される環状の間隙内に、柔軟性部材３４が介挿されている。この柔軟性部材３４は、グリップ部材２４の前端を超えて先側に延び、糸巻き２８よりも僅かに大きな外径に拡径された円筒状の先端部３４ａを形成する。この柔軟性部材３４の先端部３４ａは、前端の縁部が面取りした湾曲面に形成されている。
【００２５】
このような先端部３４ａを有する柔軟性部材３４は、グリップ部材２４と元竿１６との間に荷重を分散して伝達することにより、応力集中を防止し、いわゆる支点折れを防止することができる。この応力集中の抑制は、リールシート本体２６の前端をグリップ部材２４の前端よりも後方に引き込めた位置に配置することにより、更に向上される。
【００２６】
このような柔軟性部材３４を収容する環状の間隙は、応力集中防止のために、径方向の肉厚をほぼ２ｍｍ程度、軸方向長さをほぼ１０ｍｍとするのが好ましく、このような柔軟性部材３４およびその先端部３４ａは、エチレン酢酸ビニル樹脂あるいはウレタン樹脂等の柔軟な合成樹脂発泡材料、またはコルク、ゴム、エラストマー等の材料で形成することが好ましい。
【００２７】
本実施形態では、他方の力伝達部材３２はグリップ部材２４の後端側に配置されており、元竿１６の後端から拡径しつつ後方に延びる傾斜面３６を有する。この傾斜面３６は、尻栓１４を取外したときに、先竿１８（図１参照）を元竿１６内に滑らかに案内できるものであれば、軸線方向に対して適宜の傾斜角で傾斜するものであってもよい。釣竿１０がこのように元竿１６内に先竿１８を収容する振出し式の場合には、内部に収容した先竿１８の基端部を損傷しないために、元竿１６の基端部に対向する尻栓１４の内端面に、例えばゴム等の弾性材を配置しておくのが好ましい。また、この尻栓１４はグリップ部材２４の後端を保護するために、例えば弾性体あるいは力伝達部材３２と同様な材料で形成することが好ましい。
【００２８】
更に、力伝達部材３０，３２間には、グリップ部材２４の内面を支えてグリップ部材２４の局部的な変形を抑制するスペーサ部材３８が配置されている。本実施形態のスペーサ部材３８は、先側の力伝達部材３０から少なくともリールシート本体２６の後端２６ｂを超える位置まで延在する円筒状部材で形成してある。これにより、例えばリールシート本体２６の後端２６ｂからグリップ部材２４に大きな荷重が作用しても、スペーサ部材３８で支えられる。
【００２９】
このスペーサ部材３８は、グリップ部材２４が局部的な荷重で変形するのを防止できるものであれば適宜の材料で形成することができ、例えばエチレン酢酸ビニル樹脂あるいはウレタン樹脂等で形成される軽量かつ比較的硬質の発泡材、または、コルク等で形成するのが好ましい。いずれの場合であっても、スペーサ部材３８は、グリップ部材２４の内面と元竿１６の外面との双方に当接して、グリップ部材２４の変形を抑えて支点折れが生じ難い材料および形状に形成する。
【００３０】
本実施形態では、このスペーサ部材３８と後側の力伝達部材３２との間に、何等の部材を配置しない空間部４０を設け、釣竿１０を軽量化している。更に、この空間部４０にも、上述のようなスペーサ部材３８を配置し、グリップ部材２４の変形を抑えるようにしてもよい。
【００３１】
このように形成される釣竿１０は、グリップ部材２４と内部に収容した元竿１６との間に配置した力伝達部材３０，３２が、リール脚固定装置２０のリールシート本体２６に作用する荷重を確実に支えると共に、極めて迅速に力を伝達することができ、これにより激しい釣竿１０の上下動作にも耐えることができる。このような急激な釣竿操作で、リールシート本体２６を介して局部的な荷重がグリップ部材２４に作用した場合であっても、スペーサ部材３８がこのグリップ部材２４の内面を支えて変形を防止することで、このグリップ部材２４の剛性が向上し、実釣時やキャスト時の釣竿１０の操作性を向上することができる。
【００３２】
また、グリップ部材２４の前端部と元竿１６との間に介挿される柔軟性部材３４は、リールシート本体２６の先端を介する応力集中を防止して、元竿１６およびグリップ部材２４が破損するのを防止することができる。また、元竿１６に作用する荷重によりグリップ部材２４およびリールシート本体２６の変形を、この柔軟性部材３４が抑制し、これにより接着剥がれを防止することができる。
【００３３】
なお、上述では、２つの力伝達部材３０，３２を配置した実施形態について説明してきたが、少なくとも１つがリールシート本体２６の内側に配置されるものであれば、３つ以上配置してもよい。また、スペーサ部材３８はグリップ部材２４の局部的な変形を防止できるものであれば、先側の力伝達部材３０との間に空隙部を配置してもよく、更に、複数であってもよい。
【図面の簡単な説明】
【００３４】
【図１】本発明の好ましい実施形態による釣竿の全体図。
【図２】図１に示す釣竿の元部の部分断面図。
【符号の説明】
【００３５】
８…魚釣用リール、１０…釣竿、１２…握り部、１４…尻栓、１６…元竿、２０…リール脚固定装置、２４…グリップ部材、３０，３２…力伝達部材、３８…スペーサ部材。
【図１】
2008011703.tif 000003
【図２】
2008011703.tif 000004